(57)【要約】【課題】書込み電圧の上昇を抑制しながら書込み動作を安定かつ高速に行うことができ、高精細化も可能なプラズマディスプレイパネルを提供する。【解決手段】前面基板２１上に互いに平行に配置した走査電極２２および維持電極２３とを備え、背面基板３１上に走査電極２２と平行に配置したプライミング電極３６と、プライミング電極３６を覆う第１の誘電体層３３ａと、第１の誘電体層３３ａ上に走査電極２２と交差する方向に配置したデータ電極３２と、走査電極２２および維持電極２３とデータ電極３２とで形成される主放電セル４０並びに走査電極２２とプライミング電極３６とで形成されるプライミング放電セル４１ａを区画するように前面基板３１上に形成した縦壁部３４ａ、横壁部３４ｂと、プライミング放電セル４１ａ内においてデータ電極３２を覆うように補助縦壁部３４ｃとを設けた。【選択図】図１
2005116453.tif 000002
【特許請求の範囲】
【請求項１】
第１の基板と、
前記第１の基板上に互いに平行に配置した走査電極および維持電極と、
放電空間を挟んで前記第１の基板に対向配置される第２の基板と、
前記第２の基板上に前記走査電極と平行に配置したプライミング電極と、
前記プライミング電極を覆う第１の誘電体層と、
前記第１の誘電体層上に前記走査電極と交差する方向に配置したデータ電極と、
前記走査電極および前記維持電極と前記データ電極とが対向して構成される主放電セル、並びに前記走査電極と前記プライミング電極とが対向して構成されるプライミング放電セルを区画するように、前記第２の基板上に形成した隔壁と、
前記プライミング放電セル内において、前記データ電極上の領域を覆う第２の誘電体と
を備えたことを特徴とするプラズマディスプレイパネル。
【請求項２】
前記第２の誘電体は前記プライミング放電セル内において前記プライミング電極上の領域の少なくとも一部を覆わないことを特徴とする請求項１に記載のプラズマディスプレイパネル。
【請求項３】
前記第２の誘電体は前記データ電極上の領域に形成された隔壁であることを特徴とする請求項１または請求項２に記載のプラズマディスプレイパネル。
【発明の詳細な説明】
【技術分野】
【０００１】
本発明は、壁掛けテレビや大型モニター等に用いられるプラズマディスプレイパネルに関する。
【背景技術】
【０００２】
プラズマディスプレイパネル（以下、ＰＤＰあるいはパネルと略記する）は、大画面、薄型、軽量であることを特徴とする視認性に優れた表示デバイスである。ＰＤＰとして代表的な交流面放電型パネルは、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００４】
初期化期間では、すべての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、走査電極と維持電極との間に所定の回数の維持パルスを印加し、書込み放電による壁電荷形成を行った放電セルを選択的に放電させ発光させる。
【０００５】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【０００６】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００７】
これらの問題を解決するために、パネルの前面板に補助放電電極を設けて形成した補助放電セルを用いてプライミングを発生させ、放電遅れを小さくするパネルとその駆動方法が提案されている（たとえば特許文献１）。
【特許文献１】特開２００２−２９７０９１号公報
【発明の開示】
【発明が解決しようとする課題】
【０００８】
しかしながら上述のパネルにおいては、個々の補助放電セルが比較的大きいため、画像表示のための放電セル間の距離を縮めることができず、その結果、高精細化が困難であるという課題があった。
【０００９】
本発明は、上述した課題に鑑みなされたものであり、書込み動作を安定かつ高速に行うことができ、高精細化も可能なプラズマディスプレイパネルを提供することを目的とする。
【課題を解決するための手段】
【００１０】
本発明のプラズマディスプレイパネルは、第１の基板と、第１の基板上に互いに平行に配置した走査電極および維持電極と、放電空間を挟んで第１の基板に対向配置される第２の基板と、第２の基板上に走査電極と平行に配置したプライミング電極と、プライミング電極を覆う第１の誘電体層と、第１の誘電体層上に走査電極と交差する方向に配置したデータ電極と、走査電極および維持電極とデータ電極とが対向して構成される主放電セル並びに走査電極とプライミング電極とが対向して構成されるプライミング放電セルを区画するように第２の基板上に形成した隔壁と、プライミング放電セル内において、データ電極上の領域を覆う第２の誘電体とを備えたことを特徴とする。この構成により、書込み電圧の上昇を抑制しながら、書込み動作を安定かつ高速に行うことができ、高精細化も可能なプラズマディスプレイパネルを提供することができる。
【００１１】
また、第２の誘電体はプライミング放電セル内においてプライミング電極上の領域の少なくとも一部を覆わない構成としてもよい。この構成により、より安定したプライミング放電が可能となる。
【００１２】
また、第２の誘電体はデータ電極上の領域に形成された隔壁であってもよい。この構成によれば、隔壁の機械的強度が上り放電セルの精度が向上するので、表示画像の均一性を向上させることができる。
【発明の効果】
【００１３】
本発明によれば、書込み電圧の上昇を抑制しながら、書込み動作を安定かつ高速に行うことができ、高精細化も可能なプラズマディスプレイパネルを提供することができる。
【発明を実施するための最良の形態】
【００１４】
以下、本発明の実施の形態におけるプラズマディスプレイパネルについて、図面を用いて説明する。
【００１５】
（実施の形態）
図１は本発明の実施の形態におけるプラズマディスプレイパネルの構造を示すを示す分解斜視図であり、図２は同パネルの背面基板を前面基板側から見た平面図である。
【００１６】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００１７】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００１８】
背面基板３１上には、走査電極２２と平行にプライミング電極３６が複数形成され、そしてプライミング電極３６を覆うように第１の誘電体層３３ａが形成されている。第１の誘電体層３３ａの上には、走査電極２２および維持電極２３と交差する方向にデータ電極３２が互いに平行に複数形成されている。第１の誘電体層３３ａはデータ電極３２とプライミング電極３６との間を絶縁している。
【００１９】
そして、データ電極３２を覆うように誘電体層３３ｂが形成され、さらにその上に主放電セル４０を区画するための隔壁３４が形成されている。図１および図２に示すように、隔壁３４は、データ電極３２と平行な方向に延びる縦壁部３４ａおよび第２の誘電体としての補助縦壁部３４ｃと、主放電セル４０を形成しかつ主放電セル４０の間に隙間部４１を形成する横壁部３４ｂとで構成されている。隙間部４１は一つおきにプライミング電極３６を有しプライミング放電セル４１ａを形成する。なお、隙間部４１ｂはプライミング電極を有しない隙間部４１である。第２の誘電体としての補助縦壁部３４ｃは、プライミング放電セル４１ａ内において、データ電極３２上の誘電体層３３ｂの上にデータ電極３２を覆うように形成されている。このとき図２に示したように、プライミング放電セル４１ａにおいて、プライミング電極３６がデータ電極３２と交差しない領域には補助縦壁部３４ｃは形成されていない。
【００２０】
そして、隔壁３４により区画された主放電セル４０に対応する誘電体層３３ｂの表面と隔壁３４の側面とに蛍光体層３５が設けられている。なお、図１では隙間部４１側に蛍光体層３５を形成していないが、蛍光体層を形成する構成としてもよい。
【００２１】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行にかつプライミング放電セル４１ａを挟んで対向するように位置合わせする。そして、前面基板２１側に形成された突出部分２２ｂ’と、背面基板３１側に形成されたプライミング電極３６との間でプライミング放電を行う構成となっている。
【００２２】
なお、本発明の実施の形態においてデータ電極３２を覆うように誘電体層３３ｂが形成されているが、この誘電体層３３ｂは形成しなくてもよい。
【００２３】
図３は本発明の実施の形態におけるプラズマディスプレイパネルの電極配列図である。列方向にｍ列のデータ電極Ｄ1〜Ｄm（図１のデータ電極３２）が配列され、行方向にｎ行の走査電極ＳＣ1〜ＳＣn（図１の走査電極２２）とｎ行の維持電極ＳＵ1〜ＳＵn（図１の維持電極２３）とが維持電極ＳＵ1−走査電極ＳＣ1−走査電極ＳＣ2−維持電極ＳＵ2−・・・となるように２本ずつ交互に配列されている。そして、本発明の実施の形態においては奇数行目の走査電極ＳＣ1、ＳＣ3、・・・の突出部分（図１の突出部分２２ｂ’）と対向するようにｎ／２本のプライミング電極ＰＲ1、ＰＲ3、・・・（図１のプライミング電極３６）が配列されている。
【００２４】
そして、一対の走査電極ＳＣi、維持電極ＳＵi（ｉ＝１〜ｎ）と一つのデータ電極Ｄj（ｊ＝１〜ｍ）とを含む放電セルＣi,j（図１の主放電セル４０）が放電空間内にｍ×ｎ個形成される。また１〜ｎ行のうちの奇数行に走査電極ＳＣiの突出部分とプライミング電極ＰＲiとを含むプライミング放電セルＰＳi（図１のプライミング放電セル４１ａ）が形成される。
【００２５】
次に、パネルを駆動するための駆動波形とそのタイミングについて説明する。
【００２６】
図４は、本発明の実施の形態におけるプラズマディスプレイパネルの駆動波形図である。なお、本発明の実施の形態においては、１フィールド期間が初期化期間、書込み期間、維持期間を有する複数のサブフィールドから構成されており、それぞれのサブフィールドは維持期間における維持パルスの数が異なる以外はほぼ同様であるので、一つのサブフィールドについてのみ動作を説明する。
【００２７】
初期化期間前半部では、データ電極Ｄ1〜Ｄm、維持電極ＳＵ1〜ＳＵnおよびプライミング電極ＰＲ1〜ＰＲn-1をそれぞれ０（Ｖ）に保持し、走査電極ＳＣ1〜ＳＣnには、維持電極ＳＵ1〜ＳＵnに対して放電開始電圧以下の電圧Ｖｉ1から、放電開始電圧を超える電圧Ｖｉ2に向かって緩やかに上昇する傾斜波形電圧を印加する。この傾斜波形電圧が上昇する間に、走査電極ＳＣ1〜ＳＣnと維持電極ＳＵ1〜ＳＵn、データ電極Ｄ1〜Ｄm、プライミング電極ＰＲ1〜ＰＲn-1との間でそれぞれ１回目の微弱な初期化放電が起こる。そして、走査電極ＳＣ1〜ＳＣn上部に負の壁電圧が蓄積されるとともに、データ電極Ｄ1〜Ｄm上部、維持電極ＳＵ1〜ＳＵn上部およびプライミング電極ＰＲ1〜ＰＲn-1上部には正の壁電圧が蓄積される。ここで、電極上部の壁電圧とは電極を覆う誘電体層上に蓄積された壁電荷により生じる電圧をあらわす。
【００２８】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖｉ3から放電開始電圧を超える電圧Ｖｉ4に向かって緩やかに下降する傾斜波形電圧を印加する。この間に、走査電極ＳＣ1〜ＳＣnと維持電極ＳＵ1〜ＳＵn、データ電極Ｄ1〜Ｄm、プライミング電極ＰＲ1〜ＰＲn-1との間でそれぞれ２回目の微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整され、プライミング電極ＰＲ1〜ＰＲn-1上部の正の壁電圧もプライミング動作に適した値に調整される。以上により初期化動作が終了する。
【００２９】
書込み期間では、走査電極ＳＣ1〜ＳＣnを一旦電圧Ｖｃに保持する。そして、プライミング電極ＰＲ1〜ＰＲn-1に電圧Ｖｑを印加する。
【００３０】
まず、奇数行目の放電セルＣp,1〜Ｃp,m（ｐ＝奇数）の書込み動作では、走査電極ＳＣpに走査パルス電圧Ｖａを印加するとともに、表示すべき画像信号に対応するデータ電極Ｄk（ｋは１〜ｍの整数）に正の書込みパルスＶｄを印加する。奇数行目の走査電極ＳＣpは自己の走査に伴ってプライミング放電を発生させるとともに書込みを行う走査電極である。したがって、走査パルス電圧Ｖａの印加によりプライミング電極ＰＲpと走査電極ＳＣpとの間でプライミング放電が発生し、放電セルＣp,1〜Ｃp,mと放電セルＣp+1,1〜Ｃp+1,mとの内部にプライミングが供給される。このときの放電は、プライミング放電セルが放電しやすく電圧Ｖｑも高く設定できるため、放電遅れが小さく速い安定したプライミング放電となる。
【００３１】
その後引き続いて、書込みパルス電圧を印加したデータ電極Ｄkに対応する放電セルＣp,kで書込み放電が発生する。このとき放電セルＣp,kの放電は、走査電極ＳＣpとプライミング電極ＰＲpとの間で発生したプライミング放電からプライミングが供給されつつ発生するので、放電遅れが小さく安定した放電となる。この書込み放電により放電セルＣp,kの走査電極ＳＣp上部に正電圧が蓄積され、維持電極ＳＵp上部に負電圧が蓄積されて、奇数行目の書込み動作が終了する。
【００３２】
次に、偶数行目の放電セルＣp+1,1〜Ｃp+1,mの書込み動作では、ｐ＋１行目の走査電極ＳＣp+1に走査パルス電圧Ｖａを印加すると同時に、データ電極Ｄ1〜Ｄmのうちｐ＋１行目に表示すべき画像信号に対応するデータ電極Ｄkに正の書込みパルス電圧Ｖｄを印加する。これにより、データ電極Ｄkと走査電極ＳＣp+1との交差部で放電が発生する。このとき、放電セルＣp+1,kでは走査電極ＳＣpとプライミング電極ＰＲpとの間で発生したプライミング放電から十分なプライミングがすでに供給された状態で放電が発生するので、書込み放電の放電遅れは非常に小さく安定した放電となる。この書込み放電により放電セルＣp+1,kの走査電極ＳＣp+1上部に正電圧が蓄積され、維持電極ＳＵp+1上部に負電圧が蓄積されて、偶数行目の書込み動作が終了する。
【００３３】
以下、同様の書込み動作をｎ行目の放電セルＣn,kに至るまで行い、書込み動作が終了する。
【００３４】
維持期間では、走査電極ＳＣ1〜ＳＣnおよび維持電極ＳＵ1〜ＳＵnを０（Ｖ）に一旦戻した後、走査電極ＳＣ1〜ＳＣnに正の維持パルス電圧Ｖｓを印加する。このとき、書込み放電を起こした放電セルＣi,kにおける走査電極ＳＣi上部と維持電極ＳＵi上部との間の電圧は、正の維持パルス電圧Ｖｓに加えて、書込み期間において走査電極ＳＣi上部および維持電極ＳＵi上部に蓄積された壁電圧が加算されて、放電開始電圧より大きくなる。これにより、放電セルＣi,kにおいて維持放電が発生する。以降同様に、走査電極ＳＣ1〜ＳＣnと維持電極ＳＵ1〜ＳＵnとに維持パルスを交互に印加することにより、書込み放電を起こした放電セルＣi,kに対して維持パルスの回数だけ維持放電が継続して行われる。
【００３５】
このように、本発明の実施の形態では、奇数行目の放電セルＣp,1〜Ｃp,m（ｐ＝奇数）の書込み動作において、背面基板３１側に設けたプライミング電極ＰＲpと前面基板２１側に設けた走査電極ＳＣpとの間でプライミング放電を発生させ、放電セルＣp,1〜Ｃp,mと放電セルＣp+1,1〜Ｃp+1,mとの内部にプライミングを供給することで、放電遅れが小さく、高速かつ安定した書込み放電を実現することができる。
【００３６】
そして、図１に示したように、走査電極２２とデータ電極３２とは、プライミング電極３６が存在しない従来のパネルと同様に放電空間を挟んで対向配置している。そのため、放電空間の距離、誘電体層２４、誘電体層３３ｂの厚み等を従来のパネルと同様の設計とすることにより、走査電極２２−データ電極３２間の放電開始電圧を従来のパネルと同様の電圧に設定することができる。また、走査電極２２と維持電極２３との電極間距離を従来のパネルと同様の電極間距離に設計することにより、走査電極２２−維持電極２３間の放電開始電圧についても従来と同様の電圧に設定することができる。したがって、本発明の実施の形態におけるパネルは、従来のパネルと同様の駆動電圧波形をプライミング電極３６を除く各電極に印加することにより駆動可能であって、しかも従来のパネルとは異なり、放電遅れが小さく高速かつ安定した書込み放電を実現することができる。
【００３７】
加えて、プライミング放電セル４１ａ内において、プライミング電極３６と走査電極２２との間でプライミング放電を発生させるが、このとき、データ電極３２を覆うようにデータ電極３２の上に第２の誘電体としての補助縦壁部３４ｃを設けてあるため、それぞれのデータ電極３２に印加される書込みパルス電圧がプライミング放電セル４１ａ内の電界に影響を及ぼすことがない。したがって、プライミング電極３６と走査電極２２とに印加される電圧に依存した安定したプライミング放電が可能となる。さらに、プライミング放電セル４１ａ内におけるデータ電極３２上の絶縁破壊をも防止することができる。ここで、補助縦壁部３４ｃの高さは自由に設定してよいが、縦壁部３４ａあるいは横壁部３４ｂよりも低く設定することにより、プライミング放電セル４１ａ内においてプライミング電極３６と平行な方向へのプライミングの移動が自由になるので、プライミング放電セル４１ａをより放電しやすくすることができる。
【００３８】
なお、本発明の実施の形態においては図１に示した位置に補助縦壁部３４ｃを設けたが、本発明のプラズマディスプレイパネルはこの構造に限られるものではない。図５は本発明のプラズマディスプレイパネルの他の実施例を示す図である。図５（ａ）は、プライミング放電セル４１ａを形成する隙間部４１だけなくプライミング放電セルを形成しない隙間部４１ｂにも補助縦壁部３４ｃを設けた例である。この構成により、隔壁３４が縦横に連結されるため隔壁３４の機械的強度が向上し、その結果、主放電セル４０の精度が向上して表示画像の均一性が向上する。
【００３９】
図５（ｂ）はプライミング放電セル４１ａ内におけるデータ電極３２の位置を移動することにより、補助縦壁部３４ｃを縦壁部３４ａと同一線上に設けた例である。この構造によれば、隔壁３４が縦横の格子状に連結して形成されるため隔壁３４の機械的強度をより一層向上させることができる。
【００４０】
さらに、上述の説明においては、第２の誘電体としてデータ電極３２上の領域に補助縦壁部３４ｃを形成するものとして説明したが、第２の誘電体はデータ電極３２上の領域を覆うものであれば隔壁以外の絶縁物でもよく、たとえば誘電体層２４や第１の誘電体層３３ａ等と同様の材料を用いてデータ電極３２上の領域を覆ったものでもよい。
【産業上の利用可能性】
【００４１】
本発明に係るプラズマディスプレイパネルは、書込み電圧の上昇を抑制しながら書込み動作を安定かつ高速に行うことができ、高精細化も可能なプラズマディスプレイパネルを提供することができるので、壁掛けテレビや大型モニター等に用いられるプラズマディスプレイパネル等に有用である。
【図面の簡単な説明】
【００４２】
【図１】本発明の実施の形態におけるプラズマディスプレイパネルの構造を示す分解斜視図
【図２】同パネルの背面基板を前面基板側から見た平面図
【図３】同パネルの電極配列図
【図４】同パネルの駆動波形図
【図５】本発明におけるプラズマディスプレイパネルの他の実施例を示す図
【符号の説明】
【００４３】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３ａ    第１の誘電体層
３３ｂ    誘電体層
３４    隔壁
３４ａ    縦壁部
３４ｂ    横壁部
３４ｃ    補助縦壁部
３５    蛍光体層
３６    プライミング電極
４０    主放電セル
４１    隙間部
４１ａ    プライミング放電セル
４１ｂ    （プライミング電極を有しない）隙間部
【図１】
2005116453.tif 000003
【図２】
2005116453.tif 000004
【図３】
2005116453.tif 000005
【図４】
2005116453.tif 000006
【図５】
2005116453.tif 000007